(57)【特許請求の範囲】
【請求項１】
無線通信システムにおいて移動局で位置参照信号（ＰＲＳ）を受信する方法であって、
該方法は、
サービングセルからＰＲＳ設定情報を受信することと、
位置測定に参加する少なくとも１つの隣接セルから該ＰＲＳを受信することと、
該ＰＲＳを用いて該位置測定を実行することと
を含み、
該ＰＲＳ設定情報は、該少なくとも１つの隣接セルに対する１つ以上のフィールドの各々が該サービングセルに対するものと同一でない場合に、該少なくとも１つの隣接セルに対する１つ以上のフィールドを含み、
該少なくとも１つの隣接セルに対するフィールドは、該ＰＲＳの帯域幅と、巡回プレフィックス（ＣＰ）長と、送信アンテナ個数とを示す、方法。
【請求項２】
前記ＰＲＳ設定情報は、システム情報ブロック、無線リソース制御（ＲＲＣ）層メッセージ、メディアアクセス制御（ＭＡＣ）層メッセージおよびダウンリンク物理制御チャネルのうちのいずれか１つを通して受信される、請求項１に記載の方法。
【請求項３】
前記受信されたＰＲＳの受信遅延時間を測定することと、受信遅延時間を前記サービングセルに送信することとをさらに含む、請求項１に記載の方法。
【請求項４】
前記少なくとも１つの隣接セルのセルＩＤに基づいて、該少なくとも１つの隣接セルに対応するＰＲＳの周波数オフセット値を設定することをさらに含み、
該少なくとも１つの隣接セルのセルＩＤは、前記少なくとも１つの隣接セルに関する情報に含まれている、請求項１に記載の方法。
【請求項５】
無線通信システムにおいて使用する移動局であって、
サービングセルから位置参照信号（ＰＲＳ）設定情報を受信し、位置測定に参加する少なくとも１つの隣接セルから該ＰＲＳを受信する送受信モジュールと、
該ＰＲＳを用いて該位置測定を実行するプロセッサと
を含み、
該ＰＲＳ設定情報は、該少なくとも１つの隣接セルに対する１つ以上のフィールドの各々が該サービングセルに対するものと同一でない場合に、該少なくとも１つの隣接セルに対する１つ以上のフィールドを含み、
該少なくとも１つの隣接セルに対するフィールドは、該ＰＲＳの帯域幅と、巡回プレフィックス（ＣＰ）長さと、送信アンテナの個数とを示す、移動局。
【請求項６】
前記送受信モジュールは、前記ＰＲＳ設定情報を、システム情報ブロック、無線リソース制御（ＲＲＣ）層メッセージ、メディアアクセス制御（ＭＡＣ）層メッセージおよびダウンリンク物理制御チャネルのうちのいずれか１つを通して受信する、請求項５に記載の移動局。
【請求項７】
前記プロセッサは、前記受信されたＰＲＳの受信遅延時間を測定し、前記送受信モジュールは、受信遅延時間を前記サービングセルに送信する、請求項５に記載の移動局。
【請求項８】
前記プロセッサは、前記少なくとも１つの隣接セルのセルＩＤに基づいて、該少なくとも１つの隣接セルに対応するＰＲＳの周波数オフセット値を設定し、
該少なくとも１つの隣接セルのセルＩＤは、前記少なくとも１つの隣接セルに関する情報に含まれている、請求項５に記載の移動局。
【発明の詳細な説明】
【技術分野】
【０００１】
本発明は、無線通信システムに関するもので、特に、無線通信システムにおいて基地局が位置ベースサービスを提供するための参照信号を送信する方法及びそのための装置に関するものである。
【背景技術】
【０００２】
端末の地理的位置は、基本的に、複数のセルから送信された信号の遅延時間を測定して計算する。したがって、端末の位置を測定するためには少なくとも３つの信号が要求される。これに基づき、端末の位置を計算する種々の方法が存在するが、主に、信号到達時間差検出（Ｏｂｓｅｒｖｅｄ  Ｔｉｍｅ  Ｄｉｆｆｅｒｅｎｃｅ  Ｏｆ  Ａｒｒｉｖａｌ；ＯＴＤＯＡ）手法が用いられる。
【０００３】
図１は、端末位置を測定するためのＯＴＤＯＡ手法の概念図である。
【０００４】
図１を参照すると、ＯＴＤＯＡ手法は、端末が、各セルから送信された信号が端末に到達したタイミング差を用いて端末の位置を測定するもので、端末は、各セルから受信した信号の遅延時間を測定してこれをサービングセル（ｓｅｒｖｉｎｇ  ｃｅｌｌ）またはアンカーセル（ａｎｃｈｏｒ  ｃｅｌｌ）に報告し、サービングセルは、報告された遅延時間を用いて該当の端末の位置を測定する。
【０００５】
この場合、各セルから端末に送信する信号は、位置ベースサービスのための参照信号（Ｌｏｃａｔｉｏｎ  Ｂａｓｅｄ  Ｓｅｒｖｉｃｅ−Ｒｅｆｅｒｅｎｃｅ  Ｓｉｇｎａｌ；ＬＢＳ−ＲＳ）であり、端末は各セルから受信したＬＢＳ−ＲＳを区別しなければならない。また、各セルから端末に送信するＬＢＳ−ＲＳを設定するに当たって、ＬＢＳ−ＲＳの受信電力及び遅延時間も考慮しなければならない。本発明では、端末が各セルから受信したＬＢＳ−ＲＳをより效率的に検出するための、ＬＢＳ−ＲＳシーケンス生成及びリソース割当方法について論議する。
【発明の概要】
【発明が解決しようとする課題】
【０００６】
上記のような論議に基づき、以下では、無線通信システムにおいて位置ベースサービスのための参照信号送信方法及びそのための装置を提案する。
【課題を解決するための手段】
【０００７】
上記課題を解決するための本発明の実施例に係る、無線通信システムにおいて端末が位置測定参照信号（Ｌｏｃａｔｉｏｎ  Ｂａｓｅｄ  Ｓｅｒｖｉｃｅ−Ｒｅｆｅｒｅｎｃｅ  Ｓｉｇｎａｌ；以下、ＬＢＳ−ＲＳ）を検出する方法は、サービングセルから、位置測定に参加する一つ以上のターゲットセルに関するＬＢＳ−ＲＳ設定情報を受信する段階と、前記ＬＢＳ−ＲＳ設定情報を用いて前記ターゲットセルの周波数オフセット値を獲得する段階と、前記ＬＢＳ−ＲＳ設定情報と前記周波数オフセット値を用いて、前記ターゲットセルから送信された前記ＬＢＳ−ＲＳを検出する段階と、を含む。ここで、前記ＬＢＳ−ＲＳ設定情報は、システム情報（Ｓｙｓｔｅｍ  ｉｎｆｏｒｍａｔｉｏｎ）ブロック、ＲＲＣ層メッセージ、ＭＡＣ層メッセージまたはダウンリンク物理制御チャネルのいずれか一方によって受信されると好ましい。前記ＬＢＳ−ＲＳ設定情報は、前記ＬＢＳ−ＲＳの帯域幅値、巡回プレフィックス（ＣｙｃｌｉｃＰｒｅｆｉｘ、ＣＰ）長さ情報及び前記隣接セルの送信アンテナ個数を含む。
【０００８】
また、前記検出されたＬＢＳ−ＲＳの受信遅延時間を測定する段階と、前記受信遅延時間を前記サービングセルに送信する段階と、をさらに含むことが好ましい。
【０００９】
より好ましくは、前記ＬＢＳ−ＲＳ設定情報は、前記ターゲットセルの前記ＬＢＳ−ＲＳ設定が前記サービングセルの前記ＬＢＳ−ＲＳ設定と同一であるか否かを指示する指示子（ｉｎｄｉｃａｔｏｒ）である。前記指示子は、前記ＬＢＳ−ＲＳの帯域幅、ＣＰ長さ情報及び前記隣接セルの送信アンテナ個数のそれぞれに対して１ビット情報を含むことが好ましい。
【００１０】
上記課題を解決するための本発明の実施例に係る無線通信システムにおける端末装置は、サービングセルから、位置測定に参加する一つ以上のターゲットセルに対する位置測定参照信号（ＬＢＳ−ＲＳ）設定情報を受信する受信モジュールと、前記ＬＢＳ−ＲＳ設定情報を用いて前記ターゲットセルの周波数オフセット値を獲得し、前記ＬＢＳ−ＲＳ設定情報と前記周波数オフセット値を用いて、前記ターゲットセルから送信された前記ＬＢＳ−ＲＳを検出し、前記ＬＢＳ−ＲＳの受信遅延時間を測定するプロセッサと、前記受信遅延時間を前記サービングセルに送信する送信モジュールと、を含む。前記受信モジュールは、前記ＬＢＳ−ＲＳ設定情報を前記システム情報ブロック、ＲＲＣ層メッセージ、ＭＡＣ層メッセージまたはダウンリンク物理制御チャネルのいずれかを通じて受信することが好ましい。
【００１１】
より好ましくは、前記ＬＢＳ−ＲＳ設定情報は、前記ターゲットセルの前記ＬＢＳ−ＲＳ設定が前記サービングセルの前記ＬＢＳ−ＲＳ設定と同一であるか否かを指示する指示子である。前記指示子は、前記ＬＢＳ−ＲＳの帯域幅、ＣＰ長さ情報及び前記隣接セルの送信アンテナ個数のそれぞれに対して１ビット情報を含むことが好ましい。
【００１２】
上記課題を解決するための本発明の他の実施例に係る、無線通信システムにおいてセルが位置測定参照信号（ＬＢＳ−ＲＳ）のためのリソースを割り当てる方法は、前記ＬＢＳ−ＲＳを送信するためのリソースを指示するＬＢＳ−ＲＳパターン基本ブロックを設定する段階と、一つのサブフレームで前記ＬＢＳ−ＲＳパターン基本ブロックが割り当てられるＯＦＤＭシンボルを決定する段階と、前記決定されたＯＦＤＭシンボルに前記ＬＢＳ−ＲＳパターン基本ブロックを割り当てる段階と、を含む。ここで、前記ＬＢＳ−ＲＳパターン基本ブロックは、Ｎ個のＯＦＤＭシンボルと前記ＯＦＤＭシンボルのそれぞれに対応するＮ個の副搬送波とから構成されることが好ましい。
【００１３】
前記ＯＦＤＭシンボルを決定する段階は、送信アンテナのための参照信号が割り当てられていないＯＦＤＭシンボルを決定する段階を含み、前記ＬＢＳ−ＲＳパターン基本ブロックを割り当てる段階は、前記ＬＢＳ−ＲＳパターン基本ブロックと同じ第１基本ブロックと前記ＬＢＳ−ＲＳパターン基本ブロックと時間軸で対称である第２基本ブロックを割り当てる段階を含む。
（項目１）
無線通信システムにおいて端末が位置測定参照信号（Ｌｏｃａｔｉｏｎ  Ｂａｓｅｄ  Ｓｅｒｖｉｃｅ−Ｒｅｆｅｒｅｎｃｅ  Ｓｉｇｎａｌ；以下、ＬＢＳ−ＲＳ）を検出する方法であって、
サービングセルから、位置測定に参加する一つ以上のターゲットセルに関するＬＢＳ−ＲＳ設定情報を受信し、
前記ＬＢＳ−ＲＳ設定情報を用いて前記ターゲットセルの周波数オフセット値を獲得し、
前記ＬＢＳ−ＲＳ設定情報と前記周波数オフセット値を用いて、前記ターゲットセルから送信された前記ＬＢＳ−ＲＳを検出すること、
を含む、位置測定参照信号検出方法。
（項目２）
前記ＬＢＳ−ＲＳ設定情報は、
システム情報（Ｓｙｓｔｅｍ  ｉｎｆｏｒｍａｔｉｏｎ）ブロック、ＲＲＣ層メッセージ、ＭＡＣ層メッセージまたはダウンリンク物理制御チャネルのいずれかによって受信される、項目１に記載の位置測定参照信号検出方法。
（項目３）
前記検出されたＬＢＳ−ＲＳの受信遅延時間を測定し、
前記受信遅延時間を前記サービングセルに送信すること、
をさらに含む、項目１に記載の位置測定参照信号検出方法。
（項目４）
前記ＬＢＳ−ＲＳ設定情報は、前記ＬＢＳ−ＲＳの帯域幅値、巡回プレフィックス（Ｃｙｃｌｉｃ  Ｐｒｅｆｉｘ、ＣＰ）長さ情報及び前記隣接セルの送信アンテナ個数を含む、項目１に記載の位置測定参照信号検出方法。
（項目５）
前記ＬＢＳ−ＲＳ設定情報は、前記ターゲットセルの前記ＬＢＳ−ＲＳ設定が前記サービングセルの前記ＬＢＳ−ＲＳ設定と同一であるか否かを指示する指示子である、項目１に記載の位置測定参照信号検出方法。
（項目６）
前記指示子は、前記ＬＢＳ−ＲＳの帯域幅、ＣＰ長さ情報及び前記隣接セルの送信アンテナ個数のそれぞれに対して１ビット情報を含む、項目５に記載の位置測定参照信号検出方法。
（項目７）
サービングセルから、位置測定に参加する一つ以上のターゲットセルに関する位置測定参照信号（Ｌｏｃａｔｉｏｎ  Ｂａｓｅｄ  Ｓｅｒｖｉｃｅ−Ｒｅｆｅｒｅｎｃｅ  Ｓｉｇｎａｌ；以下、ＬＢＳ−ＲＳ）設定情報を受信する受信モジュールと、
前記ＬＢＳ−ＲＳ設定情報を用いて前記ターゲットセルの周波数オフセット値を獲得し、前記ＬＢＳ−ＲＳ設定情報と前記周波数オフセット値を用いて、前記ターゲットセルから送信された前記ＬＢＳ−ＲＳを検出し、前記ＬＢＳ−ＲＳの受信遅延時間を測定するプロセッサと、
前記受信遅延時間を前記サービングセルに送信する送信モジュールと、
を含む、無線通信システムにおける端末装置。
（項目８）
前記受信モジュールは、前記ＬＢＳ−ＲＳ設定情報を前記システム情報（Ｓｙｓｔｅｍ  ｉｎｆｏｒｍａｔｉｏｎ）ブロック、ＲＲＣ層メッセージ、ＭＡＣ層メッセージまたはダウンリンク物理制御チャネルのいずれかを通じて受信する、項目７に記載の無線通信システムにおける端末装置。
（項目９）
前記ＬＢＳ−ＲＳ設定情報は、前記ＬＢＳ−ＲＳの帯域幅値、巡回プレフィックス（Ｃｙｃｌｉｃ  Ｐｒｅｆｉｘ、ＣＰ）長さ情報及び前記隣接セルの送信アンテナ個数のうち少なくとも一つを含む、項目７に記載の無線通信システムにおける端末装置。
（項目１０）
前記ＬＢＳ−ＲＳ設定情報は、前記ターゲットセルの前記ＬＢＳ−ＲＳ設定が前記サービングセルの前記ＬＢＳ−ＲＳ設定と同一であるか否かを指示する指示子である、項目７に記載の無線通信システムにおける端末装置。
（項目１１）
前記指示子は、前記ＬＢＳ−ＲＳの帯域幅、ＣＰ長さ情報及び前記隣接セルの送信アンテナ個数のそれぞれに対して１ビット情報を含む、項目１０に記載の無線通信システムにおける端末装置  。
（項目１２）
無線通信システムにおいてセルが位置測定参照信号（Ｌｏｃａｔｉｏｎ  Ｂａｓｅｄ  Ｓｅｒｖｉｃｅ−Ｒｅｆｅｒｅｎｃｅ  Ｓｉｇｎａｌ；以下、ＬＢＳ−ＲＳ）のためのリソースを割り当てる方法であって、
前記ＬＢＳ−ＲＳを送信するためのリソースを指示するＬＢＳ−ＲＳパターン基本ブロックを設定し、
一つのサブフレームにおいて前記ＬＢＳ−ＲＳパターン基本ブロックの割り当てられるＯＦＤＭシンボルを決定し、
前記決定されたＯＦＤＭシンボルに前記ＬＢＳ−ＲＳパターン基本ブロックを割り当てること、
を含むリソース割当方法。
（項目１３）
前記ＬＢＳ−ＲＳパターン基本ブロックは、Ｎ個のＯＦＤＭシンボルと前記ＯＦＤＭシンボルのそれぞれに対応するＮ個の副搬送波とから設定される、項目１２に記載のリソース割当方法。
（項目１４）
前記ＯＦＤＭシンボルを決定することは、
送信アンテナのための参照信号が割り当てられていないＯＦＤＭシンボルを決定することを含む、項目１２に記載のリソース割当方法。
（項目１５）
前記ＬＢＳ−ＲＳパターン基本ブロックを割り当てることは、
前記ＬＢＳ−ＲＳパターン基本ブロックと同じ第１基本ブロックと前記ＬＢＳ−ＲＳパターン基本ブロックと時間軸で対称である第２基本ブロックを割り当てることを含む、項目１２に記載のリソース割当方法。
【発明の効果】
【００１４】
本発明の実施例によれば、無線通信システムにおいて基地局が位置ベースサービスを提供するための参照信号を效果的に送信することができる。
【００１５】
本発明で得られる効果は、以上で言及した効果に制限されず、言及していない他の効果は、下の記載から、本発明の属する技術分野における通常の知識を有する者には明らかになるであろう。
【図面の簡単な説明】
【００１６】
【図１】端末位置を測定するためのＯＴＤＯＡ手法の概念図である。
【図２】移動通信システムの一例である３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）システムに用いられる物理チャネル及びこれらのチャネルを用いた一般的な信号伝送方法を説明するための図である。
【図３】基地局がダウンリンク信号を伝送するための信号処理手順を説明するための図である。
【図４】本発明で使われるダウンリンクの時間−周波数リソース格子構造（ｒｅｓｏｕｒｃｅ  ｇｒｉｄ  ｓｔｒｕｃｔｕｒｅ）を示す図である。
【図５】ダウンリンク無線フレームで一つのサブフレームの制御領域に含まれる制御チャネルを例示する図である。
【図６】複数のセルから受信した信号で生じうる経路損失を説明するための図である。
【図７】複数のセルから受信した信号で生じうる経路損失を説明するための図である。
【図８】複数のセルから送信された信号の伝播遅延を説明するための図である。
【図９】非同期システムで生じうる伝播遅延を説明するための図である。
【図１０】非同期システムで生じうる伝播遅延を説明するための図である。
【図１１】非同期システムで生じうる伝播遅延を説明するための図である。
【図１２】本発明の第２実施例に係る各基地局における信号送信タイミングを示す図である。
【図１３】本発明の第４実施例を説明するための図である。
【図１４】本発明の第４実施例を説明するための図である。
【図１５】本発明の第４実施例を説明するための図である。
【図１６】本発明の第４実施例を説明するための図である。
【図１７】本発明の第４実施例を説明するための図である。
【図１８】本発明の第４実施例を説明するための図である。
【図１９】本発明の第５実施例を説明するための図である。
【図２０】本発明の第５実施例を説明するための図である。
【図２１】本発明の第５実施例を説明するための図である。
【図２２】本発明の第５実施例を説明するための図である。
【図２３】本発明の第５実施例を説明するための図である。
【図２４】本発明の第５実施例を説明するための図である。
【図２５】本発明の第５実施例を説明するための図である。
【図２６】本発明の第５実施例を説明するための図である。
【図２７】本発明の第５実施例を説明するための図である。
【図２８】本発明の第６実施例を説明するための図である。
【図２９】本発明の第６実施例を説明するための図である。
【図３０】本発明の第６実施例を説明するための図である。
【図３１】本発明の第７実施例を説明するための図である。
【図３２】本発明の第７実施例を説明するための図である。
【図３３】本発明の実施例に係る送信機及び受信機を示すブロック図である。
【発明を実施するための形態】
【００１７】
以下、本発明の好適な実施の形態を、添付の図面を参照しつつ詳細に説明する。添付の図面と共に以下に開示される詳細な説明は、本発明の例示的な実施の形態を説明するためのもので、本発明が実施されうる唯一の実施の形態を示すためのものではない。以下の詳細な説明は、本発明の完全な理解を提供するために具体的な細部事項を含む。しかし、当業者には、本発明がそれらの具体的な細部事項なしにも実施可能であるということが理解できる。例えば、以下の詳細な説明は、移動通信システムが３ＧＰＰ  ＬＴＥシステムである場合を取り上げて具体的に説明するが、３ＧＰＰ  ＬＴＥ特有の事項を除いては、他の任意の移動通信システムにも適用可能である。
【００１８】
場合によっては、本発明の概念が曖昧になることを避けるために、公知の構造及び装置を省略したり、各構造及び装置の核心機能を中心にしたブロック図の形式にしたりすることができる。また、本明細書の全体を通じて同一の構成要素には同一の図面符号を付する。
【００１９】
なお、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）などを含め、移動または固定型のユーザ端の機器を総称するものとする。また、基地局は、Ｎｏｄｅ  Ｂ、ｅＮｏｄｅ  Ｂ、Ｂａｓｅ  Ｓｔａｔｉｏｎなどを含め、端末と通信するネットワーク端の任意のノードを総称するものとする。
【００２０】
移動通信システムにおいて、ユーザ機器（Ｕｓｅｒ  Ｅｑｕｉｐｍｅｎｔ）は、基地局からダウンリンク（Ｄｏｗｎｌｉｎｋ）を通じて情報を受信することができ、ユーザ機器はまた、アップリンク（Ｕｐｌｉｎｋ）を通じて情報を伝送することができる。ユーザ機器が伝送または受信する情報には、データ及び様々な制御情報があり、ユーザ機器が伝送または受信する情報の種類・用途に応じて様々な物理チャネルが存在する。
【００２１】
図２は、移動通信システムの一例である３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）システムに用いられる物理チャネル及びこれらを用いた一般の信号伝送方法を説明するための図である。
【００２２】
電源が消えた状態で再び電源がついたり、新しくセルに進入したりしたユーザ機器は、段階Ｓ２０１において、基地局と同期を合わせる等の初期セル探索（Ｉｎｉｔｉａｌ  ｃｅｌｌ  ｓｅａｒｃｈ）作業を行う。このために、ユーザ機器は基地局からプライマリ同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及びセカンダリ同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を合わせ、セルＩＤなどの情報を獲得することができる。その後、ユーザ機器は、基地局から物理放送チャネル（Ｐｈｙｓｉｃａｌ  Ｂｒｏａｄｃａｓｔ  Ｃｈａｎｎｅｌ）を受信してセル内の放送情報を獲得できる。一方、ユーザ機器は、初期セル探索段階においてダウンリンク参照信号（Ｄｏｗｎｌｉｎｋ  Ｒｅｆｅｒｅｎｃｅ  Ｓｉｇｎａｌ：ＤＬ  ＲＳ）を受信し、ダウンリンクチャネル状態を確認することができる。
【００２３】
初期セル探索を終えたユーザ機器は、段階Ｓ２０２において、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）及び該物理ダウンリンク制御チャネル情報に対応する物理ダウンリンク共有チャネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を獲得することができる。
【００２４】
一方、基地局に最初に接続したり信号伝送のための無線リソースがない場合、ユーザ機器は基地局に、段階Ｓ２０３乃至段階Ｓ２０６のようなランダムアクセス手順（Ｒａｎｄｏｍ  Ａｃｃｅｓｓ  Ｐｒｏｃｅｄｕｒｅ）を行うことができる。このために、ユーザ機器は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を通じて特定シーケンスをプリアンブルとして伝送し（Ｓ２０３）、物理ダウンリンク制御チャネル及びこれに対応する物理ダウンリンク共有チャネルを通じて、上記ランダムアクセスに対する応答メッセージを受信することができる（Ｓ２０４）。ハンドオーバー（Ｈａｎｄｏｖｅｒ）の場合を除いた競合ベースランダムアクセスの場合は、以降、追加の物理ランダムアクセスチャネルの伝送（Ｓ２０５）、及び物理ダウンリンク制御チャネル／物理ダウンリンク共有チャネルの受信（Ｓ２０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００２５】
以上の手順を行ったユーザ機器は、以降、一般的なアップリンク／ダウンリンク信号伝送手順として、物理ダウンリンク制御チャネル／物理ダウンリンク共有チャネルの受信（Ｓ２０７）及び物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）／物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の伝送（Ｓ２０８）を行うことができる。この時、ユーザ機器がアップリンクを通じて基地局に伝送するまたはユーザ機器が基地局から受信する制御情報には、ダウンリンク／アップリンクＡＣＫ／ＮＡＣＫ信号、ＣＱＩ（Ｃｈａｎｎｅｌ  Ｑｕａｌｉｔｙ  Ｉｎｄｉｃａｔｏｒ）／ＰＭＩ（Ｐｒｅｃｏｄｉｎｇ  Ｍａｔｒｉｘ  Ｉｎｄｅｘ）／ＲＩ（Ｒａｎｋ  Ｉｎｄｉｃａｔｏｒ）などが含まれる。３ＧＰＰ  ＬＴＥシステムにおいて、ユーザ機器は、これらＣＱＩ／ＰＭＩ／ＲＩなどの制御情報を物理アップリンク共有チャネル及び／または物理アップリンク制御チャネルを通じて伝送することができる。
【００２６】
次に、３ＧＰＰ  ＬＴＥシステムにおいて、基地局がダウンリンク信号を伝送するための信号処理手順について説明する。
【００２７】
図３は、基地局がダウンリンク信号を伝送するための信号処理手順を説明するための図である。
【００２８】
３ＧＰＰ  ＬＴＥシステムにおいて、基地局は、ダウンリンクで一つ以上のコードワード（ＣｏｄｅＷｏｒｄ）を伝送することができる。したがって、一つ以上のコードワードはそれぞれ、スクランブリングモジュール３０１及び変調マッパー３０２を通じて複素シンボルになりうる。以降、複素シンボルは、レイヤーマッパー３０３によって複数のレイヤー（Ｌａｙｅｒ）にマッピングされ、各レイヤーは、プリコーディングモジュール３０４によって、チャネル状態に基づいて選択された所定プリコーディング行列とかけられ、各送信アンテナに割り当てられることができる。このように処理された各アンテナ別伝送信号はそれぞれ、リソース要素マッパー３０５によって、伝送に用いられる時間−周波数リソース要素にマッピングされ、以降、ＯＦＤＭ信号生成器３０６を経て各アンテナから送信できる。
【００２９】
図４に、本発明で使用されるダウンリンクの時間−周波数リソース格子構造（ｒｅｓｏｕｒｃｅ  ｇｒｉｄ  ｓｔｒｕｃｔｕｒｅ）を示す。
【００３０】
図４を参照すると、ダウンリンク送信リソースは、
【００３１】
【化１】
0005309226.tif 000002
のサブキャリア（ｓｕｂｃａｒｒｉｅｒ）と
【００３２】
【化２】
0005309226.tif 000003
のＯＦＤＭシンボルとから構成される図４のようなリソース格子（ｒｅｓｏｕｒｃｅ  ｇｒｉｄ）により描写できる。ここで、
【００３３】
【化３】
0005309226.tif 000004
は、ダウンリンクにおけるリソースブロック（Ｒｅｓｏｕｒｃｅ  Ｂｌｏｃｋ；ＲＢ）の個数を表し、
【００３４】
【化４】
0005309226.tif 000005
は、一つのＲＢを構成するサブキャリアの個数を表し、
【００３５】
【化５】
0005309226.tif 000006
は、一つのダウンリンクスロットにおけるＯＦＤＭシンボルの個数を表す。リソース格子内の各要素は、リソース要素（Ｒｅｓｏｕｒｃｅ  Ｅｌｅｍｅｎｔ、ＲＥ）と呼ばれ、スロット内のインデックス対
【００３６】
【化６】
0005309226.tif 000007
により唯一に識別される。ここで、
【００３７】
【化７】
0005309226.tif 000008
は周波数領域でのインデックスであり、
【００３８】
【化８】
0005309226.tif 000009
は時間領域でのインデックスであり、
【００３９】
【化９】
0005309226.tif 000010
のいずれか一つの値を有し、
【００４０】
【化１０】
0005309226.tif 000011
のいずれか一つの値を有する。
【００４１】
【化１１】
0005309226.tif 000012
の大きさは、セル内で構成されたダウンリンク伝送帯域幅によって異なり、
【００４２】
【化１２】
0005309226.tif 000013
を満たさなければならない。ここで、
【００４３】
【化１３】
0005309226.tif 000014
は、無線通信システムが支援する最小のダウンリンク帯域幅であり、
【００４４】
【化１４】
0005309226.tif 000015
は、無線通信システムが支援する最大のダウンリンク帯域幅である。
【００４５】
【化１５】
0005309226.tif 000016
でよいが、これに限定されることはない。一つのスロット内に含まれたＯＦＤＭシンボルの個数は、巡回プレフィックス（Ｃｙｃｌｉｃ  Ｐｒｅｆｉｘ、ＣＰ）の長さ及び副搬送波の間隔によって異なってくる。多重アンテナ伝送の場合に、一つのアンテナポート当たりに一つのリソース格子が定義されてよい。
【００４６】
図４に示すリソースブロック（Ｒｅｓｏｕｒｃｅ  Ｂｌｏｃｋ、ＲＢ）は、ある物理チャネルとリソース要素とのマッピング（ｍａｐｐｉｎｇ）関係を説明するために使用される。ＲＢは、物理リソースブロック（Ｐｈｙｓｉｃａｌ  Ｒｅｓｏｕｒｃｅ  Ｂｌｏｃｋ；ＰＲＢ）と仮想リソースブロック（Ｖｉｒｔｕａｌ  Ｒｅｓｏｕｒｃｅ  Ｂｌｏｃｋ；ＶＲＢ）とに分類される。
【００４７】
一つのＰＲＢは、時間領域における
【００４８】
【化１６】
0005309226.tif 000017
の連続したＯＦＤＭシンボル及び周波数領域における
【００４９】
【化１７】
0005309226.tif 000018
の連続したサブキャリアと定義される。ここで、
【００５０】
【化１８】
0005309226.tif 000019
は、あらかじめ決定された値でよい。例えば、
【００５１】
【化１９】
0005309226.tif 000020
は表１のように与えれてよい。したがって、一つのＰＲＢは、
【００５２】
【化２０】
0005309226.tif 000021
のリソース要素で構成される。一つのＰＲＢは、時間領域では一つのスロットに対応し、周波数領域では１８０ｋＨｚに対応できるが、これに限定されるものではない。
【００５３】
【表１】
0005309226.tif 000022
ＰＲＢは、周波数領域において
【００５４】
【化２１】
0005309226.tif 000023
の値を有する。周波数領域におけるＰＲＢ個数（ｎｕｍｂｅｒ）
【００５５】
【化２２】
0005309226.tif 000024
と一つのスロットにおけるリソース要素
【００５６】
【化２３】
0005309226.tif 000025
との関係は、
【００５７】
【化２４】
0005309226.tif 000026
を満たす。
【００５８】
ＶＲＢは、ＰＲＢと同じ大きさを有することができる。ＶＲＢは、２タイプのＶＲＢと定義され、第一のタイプは、ローカル型ＶＲＢ（Ｌｏｃａｌｉｚｅｄ  ＶＲＢ、ＬＶＲＢ）であり、第二のタイプは分散型ＶＲＢ（Ｄｉｓｔｒｉｂｕｔｅｄ  ＶＲＢ、ＤＶＲＢ）である。各タイプのＶＲＢに対して、一対（ｐａｉｒ）のＶＲＢが単一のＶＲＢインデックスを有し、１個のサブフレームの２個のスロットにわたって割り当てられる。言い換えると、一つのサブフレームを構成する２個のスロットのうち、第１スロットに属する
【００５９】
【化２５】
0005309226.tif 000027
のＶＲＢにはそれぞれ、
【００６０】
【化２６】
0005309226.tif 000028
のうちのいずれか一つのインデックス（Ｉｎｄｅｘ）が割り当てられ、これら２つのスロットのうち、第２スロットに属する
【００６１】
【化２７】
0005309226.tif 000029
のＶＲＢにも同様、それぞれ
【００６２】
【化２８】
0005309226.tif 000030
のうちのいずれか一つのインデックスが割り当てられる。
【００６３】
図５は、ダウンリンク無線フレームにおいて一つのサブフレームの制御領域に含まれる制御チャネルを例示する図である。
【００６４】
図５を参照すると、一つのサブフレームは１４個のＯＦＤＭシンボルで構成されている。サブフレーム設定によって、最初の１乃至３個のＯＦＤＭシンボルは制御領域に使われ、残りの１３〜１１個のＯＦＤＭシンボルはデータ領域に使われる。図５で、Ｒ１乃至Ｒ４は、アンテナ０乃至３に対する参照信号（Ｒｅｆｅｒｅｎｃｅ  Ｓｉｇｎａｌ；ＲＳ）を表す。アンテナ０乃至３に対するＲＳは、一般的なサブフレームにおいて、制御領域及びデータ領域にかかわらずに一定のパターンで固定され、ＭＢＳＦＮ（Ｍｕｌｔｉｃａｓｔ／Ｂｒｏａｄｃａｓｔ  ｏｖｅｒ  ａ  Ｓｉｎｇｌｅ  Ｆｒｅｑｕｅｎｃｙ  Ｎｅｔｗｏｒｋ）サブフレームでは制御領域にのみ割り当てられる。
【００６５】
制御チャネルは、制御領域において、ＲＳが割り当てられていないリソースに割り当てられ、トラフィックチャネルもデータ領域において、ＲＳが割り当てられていないリソースに割り当てられる。制御領域に割り当てられる制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００６６】
ＰＤＣＣＨは、物理ダウンリンク制御チャネルで、サブフレームの最初のｎ個のＯＦＤＭシンボルに割り当てられる。ここで、ｎは、１以上の整数で、ＰＣＦＩＣＨにより指示される。ＰＤＣＣＨは、一つ以上のＣＣＥで構成される。これについての詳細は後述される。ＰＤＣＣＨは、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割当に関する情報、アップリンクスケジューリンググラント（Ｕｐｌｉｎｋ  Ｓｃｈｅｄｕｌｉｎｇ  Ｇｒａｎｔ）、ＨＡＲＱ情報などを、各端末または端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを通じて伝送される。したがって、基地局と端末は、一般に、特定の制御情報または特定のサービスデータ以外のデータは、ＰＤＳＣＨを通じてそれぞれ伝送及び受信する。ＰＤＳＣＨのデータがどの端末（一つまたは複数の端末）に伝送されるか、これらの端末がどのようにＰＤＳＣＨデータを受信しデコーディング（ｄｅｃｏｄｉｎｇ）しなければならないかに関する情報などは、ＰＤＣＣＨに含まれて伝送される。例えば、特定ＰＤＣＣＨが“Ａ”というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスキング（ｍａｓｋｉｎｇ）されており、“Ｂ”という無線リソース（例、周波数位置）及び“Ｃ”という伝送形式情報（例、伝送ブロックサイズ、変調方式、コーディング情報など）を用いて伝送されるデータに関する情報が、特定サブフレームを通じて伝送されるとする。この場合、セル内の端末は、自身が持っているＲＮＴＩ情報を用いてＰＤＣＣＨをモニタリングし、“Ａ”ＲＮＴＩを持っている一つ以上の端末があると、該端末はＰＤＣＣＨを受信し、受信したＰＤＣＣＨの情報を通じて“Ｂ”と“Ｃ”により指示されるＰＤＳＣＨを受信する。
【００６７】
＜第１実施例＞
本発明の第１実施例は、複数のセルが端末にＬＢＳ−ＲＳを送信するに当たって生じうる経路損失（ｐａｔｈ  ｌｏｓｓ）を補償する方法に関するものである。
【００６８】
図６及び図７は、複数のセルから受信した信号において生じうる経路損失を説明するための図である。上述した通り、端末の位置を測定する過程では一つ以上のセル、好ましくは、少なくとも３個のセルからＬＢＳ−ＲＳを受信する必要がある。以下では、説明の便宜のために、サービングセルとターゲットセルの２つのセルのみを考慮する。
【００６９】
端末がサービングセルに接続している状況で、サービングセル及びターゲットセルの両方からＬＢＳ−ＲＳを受信する場合、下記のような２通りの場合を考慮することができる。
【００７０】
第一は、図６のように、サービングセル（セル＃Ａ）からの経路損失がターゲットセル（セル＃Ｂ）からの経路損失と略同一の場合であり、第二は、図７のように、サービングセルからの経路損失がターゲットセルからの経路損失よりも少ない場合である。
【００７１】
図６を参照すると、サービングセル及びターゲットセルから端末に送信された信号の経路損失が略同一であるから、両セルから同一電力を用いて送信されたＬＢＳ−ＲＳを、端末では類似の振幅、すなわち類似の電力で受信することができる。端末は、ＬＢＳ−ＲＳを受信した後、自動利得制御（Ａｕｔｏｍａｔｉｃ  Ｇａｉｎ  Ｃｏｎｔｒｏｌ；ＡＧＣ）と呼ばれる信号増幅過程を行って、ターゲットセルから受信した信号をアナログ−デジタル変換器（Ａｎａｌｏｇ  ｔｏ  Ｄｉｇｉｔａｌ  Ｃｏｎｖｅｒｔｅｒ；ＡＤＣ）の動作範囲に適合するように増幅する。以降、端末は、ＡＤＣの出力から、サービングセルから送信されたＬＢＳ−ＲＳとターゲットセルから送信されたＬＢＳ−ＲＳを区別する。もし、図６のように、２つの信号が類似の電力で受信された場合では、端末は、これら受信信号から、ターゲットセルから送信されたＬＢＳ−ＲＳを検出する上で特別な問題はない。
【００７２】
しかし、図７では、ターゲットセルと端末間の経路損失が非常に大きいから、ターゲットセルから受信された信号が、サービングセルから受信された信号に比べて非常に小さく測定される。一方、ＡＧＣは、ターゲットセル及びサービングセルの両方から受信した受信信号全体を考慮して信号を増幅するから、ターゲットセルから受信した信号はＡＤＣを行う上で消失される可能性がある。したがって、図７のような状況では、ターゲットセルから送信された信号を検出できない恐れがある。
【００７３】
このような問題点を解決するために、サービングセルは、休止期間（ｉｄｌｅ  ｐｅｒｉｏｄ）または信号非送信区間（ｓｉｇｎａｌ  ｎｏｎ−ｔｒａｎｓｍｉｔｔｉｎｇ  ｄｕｒａｔｉｏｎ）を設定することができる。サービングセルの休止期間においては、サービングセルから送信されたＬＢＳ−ＲＳの影響がないから、ターゲットセルから送信したＬＢＳ−ＲＳは、信号の経路損失が大きくても、ＡＤＣ過程を経た後に誤りなく検出できる。
【００７４】
＜第２実施例＞
本発明の第２実施例は、各セルから送信されたＬＢＳ−ＲＳの伝播遅延時間（ｐｒｏｐａｇａｔｉｏｎ  ｄｅｌａｙ）によって発生する信号間干渉を防止するための方案である。
【００７５】
まず、伝播遅延時間について説明する。図８は、複数のセルから送信された信号の伝播遅延を説明するための図である。
【００７６】
図８を参照すると、セルＡ及びセルＢから信号が同一タイミングに送信されたとしても、その伝播経路によって端末の受信タイミングは異なることがある。特に、図８は、端末がセルＡの近くに位置する場合を示し、セルＢから受信される信号は、セルＡから受信された信号に比べて伝播遅延がより大きいということがわかる。したがって、端末では、それぞれ異なるセルから受信される信号が、互いに異なるタイミングに受信されることがある。
【００７７】
ターゲットセルの最大半径が１００ｋｍである場合、端末に受信される信号の最大伝播遅延は±０．３３４ｍｓとなりうる。これは、セル同士が同期しているとしても、受信側では、各セルから受信されるＬＢＳ−ＲＳ間に最大±０．３３４ｍｓの遅延が発生することがあるということを意味する。
【００７８】
非同期システムにおいても、一つのサブフレームの長さが１ｍｓであり、受信信号に関する測定がサブフレーム単位で行われるとすれば、端末が両セルから受信した信号間に生じうる最大遅延時間は、サブフレームの半分、すなわち、±０．５ｍｓであることがわかる。
【００７９】
図９乃至図１１は、非同期システムで生じうる伝播遅延を説明するための図である。特に、図９乃至図１１は、セルＡから受信したサブフレームを基準に、セルＢから受信したサブフレームの遅延時間がそれぞれ０ｍｓ、＋０．５ｍｓ、−０．２５ｍｓである場合を示す。したがって、第２実施例では、端末が、サービングセルから送信された信号によって干渉を受けることなくターゲットセルから送信されたＬＢＳ−ＲＳを受信できるようにするために、サービングセルが最大３休止（ｉｄｌｅ）サブフレームを設定することを提案する。
【００８０】
図１２は、本発明の第２実施例に係る各基地局における信号送信タイミングを示す図である。特に、端末はセルＣに接続して通信しているとする。
【００８１】
図１２を参照すると、上述した通り、最大遅延時間がサブフレームの半分であるという点から、全てのセルから送信される信号のそれぞれを信号間の干渉なく受信するために、１乃至３の連続した休止サブフレームを設定しなければならないことがわかる。
【００８２】
このように１乃至３の連続した休止サブフレームを設定することによって、端末は、サービングセルの最初の休止サブフレームの開始地点を基準に、各セルから送信されるＬＢＳ−ＲＳの受信遅延時間を測定してサービングセルに報告することができる。
【００８３】
＜第３実施例＞
端末がターゲットセルから送信された信号のサブフレーム境界を検出せずに遅延時間を測定できるようにするために、サービングセルは、端末にターゲットセルＩＤとターゲットセルの概略的なサブフレームタイミングを知らせることができる。この場合、概略的なサブフレームタイミングは、ターゲットセルＩＤ、サービングセルのサブフレーム番号及びシステムフレーム番号によって定められる。また、サービングセルは、ターゲットセルから送信されるＬＢＳ−ＲＳの帯域幅と、ＬＢＳ−ＲＳが割り当てられる周波数位置に関して端末に知らせることができる。これらの情報は、端末がＬＢＳ−ＲＳを検出するための過程においていかなるターゲットセルが位置測定に参加しているかに関する検索過程と信号測定のための同期化過程を省略することを可能にする。
【００８４】
端末の位置測定のために必要な情報は、サービングセルによって放送されてよい。この場合、サービングセルが放送する情報は、ターゲットセルのＩＤを含むことができる。ネットワークはセルの正確な地理的位置を既に知っており、よって、サービングセルは、端末周辺に最も近く位置しているセルを検出できる他、サービングセルと同じ位置にアンテナを持っているセルのように、位置測定に寄与できないセルのＩＤは放送しないと設定することができる。
【００８５】
＜第４実施例＞
図１３乃至図１８は、本発明の第４実施例に係るＬＢＳ−ＲＳパターンを示す図である。特に、図１３乃至図１６と図１８に示す空のリソース要素（Ｅｍｐｔｙ  Ｒｅｓｏｕｒｃｅ  Ｅｌｅｍｅｎｔｓ）には一般のデータ情報が送信されるものとすることもできる。
【００８６】
第４実施例は、一つのＲＢ単位でＬＢＳ−ＲＳパターンを設計したことを特徴とする。
【００８７】
まず、図１３は、大角方向に参照信号が配列されたパターン（以下、パターンＡ１）を示す。特に、パターンＡ１は、一つのＯＦＤＭシンボル側面では、ＬＢＳ−ＲＳのために複数のＲＥが割り当てられる。複数のセルから送信されるＬＢＳ−ＲＳを区別するために、パターンＡ１の周波数オフセット（ｖｓｈｉｆｔ）値を別々に設定する必要がある。また、ｖｓｈｉｆｔは、セルＩＤに依存する値で、下記の数学式１によって決定される。
【００８８】
【数１】
0005309226.tif 000031
すなわち、セル設計に当たって同期化したセルを構築すると仮定すれば、それぞれのセルが、互いに異なるｖｓｈｉｆｔ値を有するパターンＡ１を用いてＬＢＳ−ＲＳを送信するように設定し、セル間に完全な直交性を有するＬＢＳ−ＲＳパターンを設計することができる。
【００８９】
しかし、図１３に示すパターンＡ１の問題点は、信号の伝播遅延（ｐｒｏｐａｇａｔｉｏｎ  ｄｅｌａｙ）によってサービングセルとターゲットセルのＬＢＳ−ＲＳパターン間に衝突が生じうるということである。図１４は、パターンＡ１における問題点を説明するための図である。
【００９０】
図１４を参照すると、セルＡは、ｖｓｈｉｆｔ値が０であり、セルＢはｖｓｈｉｆｔ値が一つの副搬送波間隔であるとする。この場合、伝播遅延によってセルＢから送信されるＬＢＳ−ＲＳが正確に一つのＯＦＤＭシンボルだけ遅く受信される場合、セルＡ及びセルＢから受信されるＬＢＳ−ＲＳパターンは、端末の立場では同じパターンとして認識され、それぞれの信号が区別できない。
【００９１】
セルが構築される際にネットワークは概略的なセル半径を認知しており、セルの最大半径を約１００ｋｍとすれば、端末の位置によって生じうる最大遅延時間は０．３３４ｍｓ、すなわち、約４．５  ＯＦＤＭシンボルと換算できる。したがって、サービングセルは、最大遅延時間を考慮して、端末が受信するＬＢＳ−ＲＳ信号の衝突が発生しないようにあらかじめターゲットセルのｖｓｈｉｆｔ値を設定し、これをターゲットセル及び端末に知らせることによって、上記の問題点を解決することができる。
【００９２】
図１５は、任意の副搬送波に、連続した参照信号が配列されたパターン（以下、パターンＡ２）を示す。パターンＡ２も同様、複数のセルから送信されるＬＢＳ−ＲＳを区別するために、それぞれ異なる周波数オフセット（ｖｓｈｉｆｔ）値を設定する。パターンＡ２におけるメリットは、互いに異なるｖｓｈｉｆｔ値を有するパターンは、受信遅延時間にかかわらずにパターン衝突が生じないという点である。また、パターンＡ２も同様、互いに異なるｖｓｈｉｆｔ値を有するパターンは直交性を保障することができ、これにより、端末がＬＢＳ−ＲＳを検出するにあって性能向上を図ることができる。
【００９３】
図１６は、位置測定を行う全体サブフレームにおいて、特定のＯＦＤＭシンボルに連続した参照信号が配列されたパターン（以下、パターンＡ３）を示す。パターンＡ２が、それぞれ異なるｖｓｈｉｆｔ値を有するパターンの直交性を保障するのに対し、パターンＡ３は、セルから受信される全てのパターンの直交性を保障することは不可能である。
【００９４】
パターンＡ３において、複数のセルから送信されるＬＢＳ−ＲＳの衝突を防止するために、一つのサブフレームにおいて特定個数のＯＦＤＭシンボルのみ使用できる。上述した伝播遅延による衝突が発生しないようにＬＢＳ−ＲＳ送信ＯＦＤＭシンボルを設定すると、パターンＡ２と同じ程度の直交性を確保することも可能である。
【００９５】
図１７は、アンテナポート０乃至３のための参照信号（Ｃｏｍｍｏｎ−ＲＳ；ＣＲＳ）のためのリソース領域とＰＤＣＣＨ領域以外の全体サブフレームで参照信号が送信されるように配列されたパターン（以下、パターンＡ４）を示す。パターンＡ４は、基本的に、上述したパターンに比べて長いＬＢＳ−ＲＳシーケンスを使用し、それぞれ異なるセルから受信されたＬＢＳ−ＲＳを区別するためにＬＢＳ−ＲＳシーケンスの交差相関（ｃｒｏｓｓ  ｃｏｒｒｅｌａｔｉｏｎ）値を用いる。したがって、ＬＢＳ−ＲＳシーケンスの交差相関値が大きいほどパターンＡ４は効果的である。
【００９６】
図１８は、パターンＡ１及びパターンＡ２が組み合わせられたパターンＡ５を示す。図１８を参照すると、パターンＡ５では、ＬＢＳ−ＲＳが任意の副搬送波において一定個数のＯＦＤＭシンボルに割り当てられた後、オフセットを反映した副搬送波において同じ個数のＯＦＤＭシンボルに割り当てられる。
【００９７】
上述した通り、セルサイズに基づいて最大伝播遅延を計算することができる。最大伝播遅延を０．３３ｍｓ、すなわち、概略的に４  ＯＦＤＭシンボルとすれば、図１８のように、最大伝播遅延、すなわち、４  ＯＦＤＭシンボルでは同一の副搬送波を通じてＬＢＳ−ＲＳを送信する。この場合、他のセルから送信されたＬＢＳ−ＲＳパターンが異なるｖｓｈｉｆｔ値を用いるため、他のセルから受信されたＬＢＳ−ＲＳとの衝突は防止することができる。
【００９８】
ただし、ＬＢＳ−ＲＳが一定個数の副搬送波のみを用いて送信される場合、これは、時間領域において波形が一定回数のみ反復されるということを意味する。これは、信号検出過程で複数の交差相関ピークが発生するということを意味するので、信号検出の側面において悪影響を及ぼすことがある。したがって、パターンＡ５では、一定個数のＯＦＤＭシンボルを通じてＬＢＳ−ＲＳが送信された後には、オフセット（図１８では、１副搬送波）値だけ副搬送波を遷移（ｓｈｉｆｔ）して同じ個数のＯＦＤＭシンボルを通じてＬＢＳ−ＲＳを送信する。一定回数の副搬送波遷移を経ることによって、ＬＢＳ−ＲＳは全体の副搬送波帯域で送信されることが可能になる。ただし、一つのＯＦＤＭシンボルにおいて、ＬＢＳ−ＲＳを送信するためのリソース要素は連続ぜず、分散しているため、基地局がより多い電力を消費してＬＢＳ−ＲＳを送信しなければならないという不具合がある。
【００９９】
以上のＬＢＳ−ＲＳパターンにおいて、アンテナポートのための参照信号は、ＰＤＣＣＨ領域に位置している参照信号以外は送信されなくてもよい。特に、ＭＢＳＦＮ（Ｍｕｌｔｉｃａｓｔ／Ｂｒｏａｄｃａｓｔ  ｏｖｅｒ  ａ  Ｓｉｎｇｌｅ  Ｆｒｅｑｕｅｎｃｙ  Ｎｅｔｗｏｒｋ）サブフレームにおいてＬＢＳ−ＲＳを送信する場合には、ＭＢＳＦＮサブフレームが最初の２個のＯＦＤＭシンボル領域のみをＰＤＣＣＨ領域とアンテナポートのための参照信号のための領域として用い、残りの領域は他の用途に使用するので、ＬＢＳ−ＲＳ割当に柔軟性（ｆｌｅｘｉｂｉｌｉｔｙ）を保障することができる。すなわち、上述したパターンと違い、アンテナポートのための参照信号が送信される領域ではＬＢＳ−ＲＳを送信すると設定することもできる。
【０１００】
一方、一般ＣＰまたは拡張ＣＰが適用された場合の両方に対して同じ正確度を有する位置測定を支援するために、一つのＲＢに含まれたＬＢＳ−ＲＳのためのＲＥの個数は同一である必要がある。
【０１０１】
以下では、端末がＬＢＳ−ＲＳが送信されるアンテナポート番号、ＬＢＳ−ＲＳ帯域幅、ＣＰ長及び送信アンテナ個数に関する情報を獲得するためのブラインドデコーディングを行うことを防止するために、サービングセルが、位置測定に参加するターゲットセルで設定されたＬＢＳ−ＲＳ帯域幅、ＣＰ長及び送信アンテナに関する情報を端末にシグナリングする方案を提案する。これらの情報をサービングセルが端末にシグナリングすることによって、端末はＬＢＳ−ＲＳを検出するための具現方法において複雑度を減らすことができ、結果として端末の単価を大きく減少させることができる。ここで、サービングセルは、位置測定のための情報を提供するセルと定義することができる。サービングセルが、ターゲットセルのＬＢＳ−ＲＳ帯域幅、ＣＰ長及び送信アンテナに関する情報を端末に指示すると、端末は、残りの情報（例えば、ｖｓｈｉｆｔ値）をブラインドデコーディングして獲得することができる。
【０１０２】
このような情報を端末に送信する方法として、放送チャネルを通じて送信されるシステム情報（Ｓｙｓｔｅｍ  Ｉｎｆｏｒｍａｔｉｏｎ）として放送する方案、上位層（例えば、ＲＲＣ層またはＭＡＣ層）から送信されるメッセージを通じてシグナリングする方案、またはダウンリンク物理制御チャネル（例えば、ＰＤＣＣＨ）を通じて送信する方案などを考慮することができる。
【０１０３】
一方、ターゲットセルのシステム設定に関する情報は、サービングセルのシステム設定と比較して同一であるか否かのみを指示することによって、シグナリングオーバーヘッドをより減少させることができる。ここで、システム設定とは、ＬＢＳ−ＲＳ検出においてパラメータとして使用可能なＬＢＳ−ＲＳ帯域幅、ＣＰ長及び送信アンテナの個数などのような情報の組み合わせを意味する。全ての候補ターゲットセルのそれぞれに対して、ターゲットセルのシステム設定がサービングセルと同一であるか否かを表す指示子を送信してもよく、候補ターゲットセルの全体を対象にして一つの指示子のみをシグナリングしてもよい。もし、アンテナポートのための参照信号が送信されない場合のように、送信アンテナの個数がＬＢＳ−ＲＳ検出に影響を及ぼさないとすれば、送信アンテナの個数に関する情報は上記指示子を決定するに当たって省略されてもよい。
【０１０４】
一方、ターゲットセルのシステム設定がサービングセルと異なる場合では、サービングセルは、ターゲットセルのシステム設定を端末に個別にシグナリングすることが望ましい。
【０１０５】
＜第５実施例＞
以下では、本発明の第５実施例に係る３種類のＬＢＳ−ＲＳパターンとＬＢＳ−ＲＳパターン基本ブロックを用いてリソースを割り当てる方法について説明する。第２実施例に係るＬＢＳ−ＲＳパターンでは、ＰＤＣＣＨ領域に割り当てられたＯＤＦＭシンボルでＬＢＳ−ＲＳのためのリソースを割り当てない。これは、一般のサブフレームでは最初の３個のＯＤＦＭシンボルが、ＭＢＳＦＮサブフレームでは最初の２個のＯＤＦＭシンボルが、ＬＢＳ−ＲＳのためのリソースに割り当てられないということを意味する。
【０１０６】
３種類のパターンのうち、第一のパターンは、４個の送信アンテナを有する基地局から一般サブフレームを送信する場合であり、送信アンテナのための参照信号に割り当てられるＯＤＦＭシンボルではＬＢＳ−ＲＳのためのＯＤＦＭシンボルを割り当てない。図１９を参照すると、一般（ｎｏｒｍａｌ）ＣＰを有する一つのサブフレームにおいてＬＢＳ−ＲＳを送信できるＯＤＦＭシンボルは７個であり、拡張（Ｅｘｔｅｎｄｅｄ）ＣＰの場合は５個である。一般ＣＰの場合、拡張ＣＰを有するサブフレームと同一の性能を発揮できるようにするために、５個のＯＤＦＭシンボルのみを使用するように具現できる。
【０１０７】
第二のパターンは、ＭＢＳＦＮサブフレームを用いてＬＢＳ−ＲＳを送信する場合であり、送信アンテナのための参照信号に割り当てられたＯＤＦＭシンボルは、ＰＤＣＣＨ領域にのみ割り当てられる。したがって、一般ＣＰを有する一つのサブフレームにおいてＬＢＳ−ＲＳを送信できるＯＤＦＭシンボルは１２個であり、拡張ＣＰの場合は、１０個である。一般（ｎｏｒｍａｌ）ＣＰの場合、拡張ＣＰを有するサブフレームと同一の性能を発揮できるようにするために、１０個のＯＤＦＭシンボルのみを使用するように具現できる。
【０１０８】
第三のパターンは、一般サブフレームを送信する場合であり、第一のパターンと違い、送信アンテナのための参照信号に割り当てられるＯＤＦＭシンボルも、ＬＢＳ−ＲＳのためのＯＤＦＭシンボルを割り当てることができる。したがって、一般ＣＰを有する一つのサブフレームにおいてＬＢＳ−ＲＳを送信できるＯＤＦＭシンボルは１１個であり、拡張ＣＰの場合は９個である。一般（ｎｏｒｍａｌ）ＣＰの場合、拡張ＣＰを有するサブフレームと同一の性能を発揮できるようにするために、９個のＯＤＦＭシンボルのみを使用するように具現できる。ただし、第三のパターンは、送信アンテナのための参照信号に割り当てられるリソース要素ではＬＢＳ−ＲＳを送信せず、送信アンテナのための参照信号を送信する。
【０１０９】
上記の３つのパターンにおいて、拡張ＣＰを有するサブフレームと同一の性能を発揮できるようにするために、２個のＯＤＦＭシンボルを使用しないことがあり、この場合、送信アンテナのための参照信号が割り当てられない領域を使用しないことが好ましい。
【０１１０】
以下では、上記３つのパターンに適用するためのＬＢＳ−ＲＳパターン基本ブロックを定義する。それぞれ異なるセルは、互いに異なるＬＢＳ−ＲＳパターン基本ブロックを使用することが好ましい。図２０を参照すると、ＬＢＳ−ＲＳパターン基本ブロックは、Ｎ＊Ｎ個のリソース要素で構成された行列を意味し、それぞれの行と列に１個のＬＢＳ−ＲＳのみが送信されるように構成される。
【０１１１】
以下では、上述した３つのパターンにＬＢＳ−ＲＳパターン基本ブロックを適用する方法についてより詳細に説明する。
【０１１２】
まず、第一のパターンに、４＊４個のリソース要素で構成されたＬＢＳ−ＲＳパターン基本ブロックが使用された例を、図２１に示す。参照番号２１０１のように、５個のＯＤＦＭシンボルのうち４個のＯＤＦＭシンボルが選択され、選択されたＯＤＦＭシンボルにＬＢＳ−ＲＳパターン基本ブロックが挿入される。この場合、一つのリソースブロックには３個のＬＢＳ−ＲＳパターン基本ブロックが挿入可能であり、セルＩＤに基づいて互いに異なる３個のＬＢＳ−ＲＳパターン基本ブロックの挿入が可能である。
【０１１３】
同様に、図２２は、第二のパターンに、６＊６個のリソース要素で構成されたＬＢＳ−ＲＳパターン基本ブロックが使用された例を示し、図２３は、第三のパターンに、６＊６個のリソース要素で構成されたＬＢＳ−ＲＳパターン基本ブロックが使用された例を示す。特に、図２３では、上述した通り、送信アンテナのための参照信号に割り当てられるリソース要素ではＬＢＳ−ＲＳを送信せず、送信アンテナのための参照信号を送信する。
【０１１４】
ＬＢＳ−ＲＳパターン基本ブロックは、一つのサブフレームの周波数領域では反復的に適用可能であるが、時間領域において反復的に適用するには、ＯＤＦＭシンボルが足りないことがわかる。この場合、図２４のように、反復されるＬＢＳ−ＲＳパターン基本ブロックは、部分的にでも適用することを提案する。
【０１１５】
図２４を参照すると、１番目のＬＢＳ−ＲＳパターン基本ブロックを時間領域において反復的に送信するために２番目のＬＢＳ−ＲＳパターン基本ブロックは部分的に送信し、この時、１番目のＬＢＳ−ＲＳパターン基本ブロックをそのまま利用する場合、１番目のＬＢＳ−ＲＳパターン基本ブロックと他のＬＢＳ−ＲＳパターン基本ブロックを利用する場合の両方も可能であり、好ましくは、図２５のように、１番目のＬＢＳ−ＲＳパターン基本ブロックと時間軸において対称であるＬＢＳ−ＲＳパターン基本ブロックを利用する場合を考慮することができる。
【０１１６】
特に、図２５を参照すると、１番目のＬＢＳ−ＲＳパターン基本ブロックと時間軸に対称であるＬＢＳ−ＲＳパターン基本ブロックは、図２３に示すように、送信アンテナのための参照信号に割り当てられるリソース要素ではＬＢＳ−ＲＳを送信しない場合に有用になりうる。すなわち、１番目のＬＢＳ−ＲＳパターン基本ブロックにおいて送信アンテナのための参照信号によってＬＢＳ−ＲＳに任意のリソース要素が割り当てられなかったとすれば、このようにＬＢＳ−ＲＳに割り当てられなかったリソース要素は、１番目のＬＢＳ−ＲＳパターン基本ブロックと時間軸で対称であるＬＢＳ−ＲＳパターン基本ブロックにおいて他の位置で割り当てられうる機会を有することができる。
【０１１７】
また、１番目のＬＢＳ−ＲＳパターン基本ブロックと時間軸で対称であるＬＢＳ−ＲＳパターン基本ブロックは、図２６のように、ＭＢＳＦＮサブフレームにも適用可能である。ただし、ＭＢＳＦＮサブフレームでは、送信アンテナのための参照信号に割り当てられるＯＤＦＭシンボルがＰＤＣＣＨ領域にのみ存在するから、セル間干渉によって１番目のＬＢＳ−ＲＳパターン基本ブロックが劣化することを補完するための用途に使用できる。
【０１１８】
一方、以上ではＬＢＳ−ＲＳ送信のみのためのリソース要素のみを用いてＬＢＳ−ＲＳパターン基本ブロックを構成する方法について述べたが、図２７では、送信アンテナのための参照信号まで含むＬＢＳ−ＲＳパターン基本ブロックを考慮する。
【０１１９】
図２７の（ａ）を参照すると、周波数軸及び時間軸にＬＢＳ−ＲＳ及び送信アンテナのための参照信号が一つずつのみ割り当てられるように構成したＬＢＳ−ＲＳパターン基本ブロックを示す。また、図２７の（ｂ）は、まず、送信アンテナのための参照信号を割り当て、周波数領域に送信アンテナのための参照信号とＬＢＳ−ＲＳとが重ならないようにしてＬＢＳ−ＲＳにリソース要素を割り当てたものである。最後に、図２７の（ｃ）は、まず、送信アンテナのための参照信号を割り当て、送信アンテナのための参照信号とＬＢＳ−ＲＳとが同一のリソースを使用しないという制約条件のみを守るようにしてリソース要素を割り当てたものである。
【０１２０】
＜第６実施例＞
ＯＦＤＭシステムにおいて、信号処理はシンボル単位でなされる。図２８を参照すると、ＬＢＳ−ＲＳを送信するために、セルは、ＬＢＳ−ＲＳシーケンスをＯＦＤＭシンボルにマッピングし、シンボル間干渉からＬＢＳ−ＲＳシーケンスを保護するためにＣＰを挿入する。これを受信した端末は、挿入されたＣＰを除去し、以降、ＯＦＤＭシンボルからＬＢＳ−ＲＳシーケンスを検出する。一方、端末がＬＢＳ−ＲＳを検出する性能は、受信信号電力、ＬＢＳ−ＲＳパターンの副搬送波間隔及びＬＢＳ−ＲＳの帯域幅に大きく依存する。本発明の第６実施例では、受信信号電力を改善するために、ＣＰの個数を減らし、時間軸に最大限に長いＯＦＤＭシンボルでＬＢＳ−ＲＳが送信されるように副搬送波間隔を減少させる。
【０１２１】
まず、ＬＢＳ−ＲＳパターンの副搬送波間隔を減少させると、時間領域においてＯＤＦＭシンボルの長さを増加させる結果につながり、一つのサブフレームに、最大限に少ない数、好ましくは、一つのＯＤＦＭシンボルのみが含まれることがある。このように、ＬＢＳ−ＲＳ送信のために一つのＯＤＦＭシンボルのみが使われる場合、一つのＣＰのみが送信信号に挿入される。このように設定されたサブフレームは、多いＯＤＦＭシンボルが含まれたサブフレームに比べて、端末がより高い電力でＬＢＳ−ＲＳを受信できるようにする。図２９は、上記の条件を満たすように設定されたサブフレームの例示である。
【０１２２】
図２９には、周波数領域で他の情報とＬＢＳ−ＲＳが多重化された形態を示しているが、ＰＤＣＣＨ領域以外の領域でアンテナポートのための参照信号の伝送が必要でないＭＢＳＦＮサブフレームを利用する場合、１個のＯＦＤＭシンボルのみを用いてＬＢＳ−ＲＳを送信することができる。
【０１２３】
一方、ＬＢＳ−ＲＳは、Ｚａｄｏｆｆ−Ｃｈｕ（ＺＣ）シーケンスを用いて生成することが好ましく、図２９のように副搬送波間隔を減少させるので、ＺＣシーケンスがマッピングされる副搬送波の個数は效果的に増加できる。したがって、長さの長いＺＣシーケンスを用いることができ、その結果、それぞれ異なるセルが使用できるより多いＺＣルートシーケンスを生成することができる。また、シンボル間干渉を緩和するためのＣＰが挿入されてもよく、より長いＺＣシーケンスを使用するためにＣＰが省略されてもよい。ＣＰ長さを調節することによって、端末はシンボル間干渉なく一つのＩＦＦＴと交差相関（ｃｒｏｓｓ  ｃｏｒｒｅｌａｔｉｏｎ）検出器を用いてＬＢＳ−ＲＳ検出過程を行うことができる。
【０１２４】
ＬＢＳ−ＲＳのためのシーケンスを生成する他の方法として、図３０のように、時間領域に長くＺＣシーケンスを生成し、これを部分的にサブフレームのそれぞれのＯＤＦＭシンボルにマッピングする。ＺＣシーケンスのそれぞれの部分は、ＯＤＦＭシンボルにマッピングされた後、ＯＤＦＭシンボルにマッピングされるＺＣシーケンスの一部と同じ信号がＣＰとして入力される。
【０１２５】
＜第７実施例＞
第４実施例乃至第６実施例で言及されたＬＢＳ−ＲＳパターンを用いてＬＢＳ−ＲＳを送信するに当たり、ＲＥに割り当てられるシーケンスは信号間の低い交差相関値を維持し、端末がＬＢＳ−ＲＳの遅延時間測定を速く行うために、Ｇｏｌｄコードシーケンスのようなｍ−シーケンスを用いたりＺＣシーケンスを用いたりすることができる。
【０１２６】
特に、ＺＣシーケンスを利用する場合、図３１のように、上述した一つの長いＺＣシーケンスを活用することが好ましい。この場合、一つのスロットの周波数軸に沿ってマッピングし、次のスロットの周波数軸に沿ってマッピングして、リソース要素にシーケンスを割り当てることができる。
【０１２７】
また、全てのＯＦＤＭシンボルに、互いに異なるＺＣルートシーケンスをマッピングする方法も考慮することができる。各ＯＦＤＭシンボルに同一のシーケンスが割り当てられると、端末の立場では検出過程において区別が容易でなく、誤りを誘発することがあるわけである。
【０１２８】
一方、最近の無線通信システムは、複数のセルがセクター化して構築される。例えば図３２のように、方向性が異なる送信アンテナが一つの地理的位置に集積して多数のセルを具現することができる。
【０１２９】
したがって、同一の地理的位置で送信されたＬＢＳ−ＲＳは、位置測定の側面では一つの信号のみ意味を有することができる。端末の立場では、同一の地理的位置で送信されたＬＢＳ−ＲＳの遅延時間を測定することは無意味な過程であるだけでなく、他のセルから追加的なＬＢＳ−ＲＳの受信が必要であるため、ネットワークは、いかなるセルが同一の位置に構築されたかに関する情報を端末に知らせる必要がある。
【０１３０】
図３３は、本発明の一実施例に係る送信機及び受信機を示すブロック図である。ダウンリンクにおいて、送信機３３１０は基地局の一部であり、受信機３３５０は端末の一部である。アップリンクにおいて、送信機３３１０は端末の一部であり、受信機３３５０は基地局の一部である。
【０１３１】
送信機３３１０において、送信（ＴＸ）データ及びパイロットプロセッサ３３２０は、データ（例、トラフィックデータ及びシグナリング）をエンコーディング、インタリービング及びシンボルマッピングしてデータシンボルを生成する。また、プロセッサ３３２０は、パイロットシンボルを生成してデータシンボル及びパイロットシンボルを多重化する。
【０１３２】
変調器３３３０は、無線接続方式によって伝送シンボルを生成する。無線接続方式は、ＦＤＭＡ、ＴＤＭＡ、ＣＤＭＡ、ＳＣ−ＦＤＭＡ、ＭＣ−ＦＤＭＡ、ＯＦＤＭＡまたはこれらの組み合わせを含む。また、変調器３３３０は、本発明の実施例で例示した様々なパーミュテーション方法を用いて、データが周波数領域及び時間領域において分散して伝送されるようにする。無線周波数（Ｒａｄｉｏ  Ｆｒｅｑｕｅｎｃｙ；ＲＦ）モジュール３３３２は、上記伝送シンボルを処理（例、アナログ変換、増幅、フィルタリング及び周波数アップ変換）して、アンテナ３３３４から伝送されるＲＦ信号を生成する。
【０１３３】
受信機３３５０において、アンテナ３３５２は、送信機３３１０から伝送された信号を受信してＲＦモジュール３３５４に提供する。ＲＦモジュール３３５４は、受信した信号を処理（例、フィルタリング、増幅、周波数ダウン変換、デジタル化）して入力サンプルを提供する。
【０１３４】
復調器３３６０は、入力サンプルを復調して、データ値及びパイロット値を提供する。チャネル推定器３３８０は、受信したパイロット値に基づいてチャネル推定値を誘導する。また、復調器３３６０は、チャネル推定値を用いて、受信したデータ値にデータ検出（または等化）を行い、送信機３３１０のためのデータシンボル推定値を提供する。また、復調器３３６０は、本発明の実施例で例示した様々なパーミュテーション方法と逆の動作を行うことで、周波数領域及び時間領域で分散しているデータを、本来の順序に再整列することができる。Ｒｘデータプロセッサ３３７０は、データシンボル推定値をシンボルデマッピング、デインタリービング及びデコーディングし、デコーディングされたデータを提供する。
【０１３５】
一般に、受信機３３５０において、復調器３３６０及びＲｘデータプロセッサ３３７０による処理は、送信機３３１０においてそれぞれ、変調器３３３０及びＴｘデータ及びパイロットプロセッサ３３２０による処理と相互補完される。
【０１３６】
制御器／プロセッサ３３４０及び３３９０はそれぞれ、送信機３３１０及び受信機３３５０に存在する様々な処理モジュールの動作を監督及び制御する。メモリー３３４２及び３３９２はそれぞれ、送信機３３１０及び受信機３３５０のためのプログラムコード及びデータを格納する。
【０１３７】
図３３で例示したモジュールは説明のためのもので、送信機及び／または受信機は必要なモジュールをさらに含むことができ、一部モジュール／機能は省略されたり、別々のモジュールに分離されたり、２つ以上のモジュールが一つのモジュールに統合されたりすることができる。
【０１３８】
以上説明してきた実施例は、本発明の構成要素及び特徴を所定形態に結合したものである。各構成要素または特徴は、別の明示的な言及がない限り、選択的なものとして考慮しなければならない。各構成要素または特徴は、他の構成要素や特徴と結合しない形態で実施することもでき、一部構成要素及び／または特徴を結合して本発明の実施例を構成することもできる。本発明の実施例で説明される動作の順序は変更可能である。ある実施例の一部構成や特徴は、別の実施例に含まれることもでき、別の実施例の対応する構成または特徴に取って代わることもできる。特許請求の範囲において明示的な引用関係にない請求項を結合して実施例を構成したり、出願後の補正により新しい請求項として含めたりすることができることは明らかである。
【０１３９】
本文書で、本発明の実施例は、主に、端末と基地局間のデータ送受信関係を中心に説明された。本文書で基地局により行われるとした特定動作は、場合によっては、その上位ノード（ｕｐｐｅｒ  ｎｏｄｅ）により行なわれることもできる。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の別のネットワークノードにより行われうることは明らかである。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０１４０】
本発明による実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１４１】
ファームウェアやソフトウェアによる具現の場合、本発明の一実施例は、以上で説明された機能または動作を行うモジュール、手順、関数などの形態とすることができる。ソフトウェアコードは、メモリユニットに記憶されて、プロセッサにより駆動されることができる。メモリユニットは、プロセッサの内部または外部に設けられ、既に公知の様々な手段によりプロセッサとデータを交換することができる。
【０１４２】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【産業上の利用可能性】
【０１４３】
上述したような多重アンテナ無線通信システムにおけるアップリンク信号送信方法及びそのための装置は、３ＧＰＰ  ＬＴＥシステムに適用される例を中心に説明したが、３ＧＰＰ  ＬＴＥシステムの他にも、類似の端末の位置を測定するための参照信号を送信する様々な移動通信システムに適用することができる。
【図１】
0005309226.tif 000032
【図２】
0005309226.tif 000033
【図３】
0005309226.tif 000034
【図４】
0005309226.tif 000035
【図５】
0005309226.tif 000036
【図６】
0005309226.tif 000037
【図７】
0005309226.tif 000038
【図８】
0005309226.tif 000039
【図９】
0005309226.tif 000040
【図１０】
0005309226.tif 000041
【図１１】
0005309226.tif 000042
【図１２】
0005309226.tif 000043
【図１３】
0005309226.tif 000044
【図１４】
0005309226.tif 000045
【図１５】
0005309226.tif 000046
【図１６】
0005309226.tif 000047
【図１７】
0005309226.tif 000048
【図１８】
0005309226.tif 000049
【図１９】
0005309226.tif 000050
【図２０】
0005309226.tif 000051
【図２１】
0005309226.tif 000052
【図２２】
0005309226.tif 000053
【図２３】
0005309226.tif 000054
【図２４】
0005309226.tif 000055
【図２５】
0005309226.tif 000056
【図２６】
0005309226.tif 000057
【図２７】
0005309226.tif 000058
【図２８】
0005309226.tif 000059
【図２９】
0005309226.tif 000060
【図３０】
0005309226.tif 000061
【図３１】
0005309226.tif 000062
【図３２】
0005309226.tif 000063
【図３３】
0005309226.tif 000064